【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
システムの立ち上げ時間を早める方法であって、
スクラビングして、最少量のメモリを割り当てのために利用可能にするステップと、
前記システム上にストアされたオペレーティング・システムの起動動作を実行するステップと、
前記オペレーティング・システムの前記起動動作と並行しかつその後に、スクラビングして、追加量のメモリを割り当てのために利用可能にするステップと
を含み、前記システムが、
複数個のメモリ・ユニットと、
各々が最少ノード資源構成に関連付けさせられる複数個のノードと、
前記複数個のノードの各々に含まれる複数個のプロセッサと、
前記複数個のプロセッサの各々に含まれる複数個のコアと、
少なくとも１個が前記複数個のコアの各々にインターフェースで結合する複数個のメモリ・コントローラと
を含み、
前記複数個のメモリ・コントローラの各々が前記複数個のメモリ・ユニットのうちの少なくとも１個のメモリ・ユニットを制御し、かつ
前記最少ノード資源構成が、前記複数個のメモリ・ユニットのうちの１個もしくは複数個のメモリ・ユニットにおける最少量のスクラブされたメモリであって、前記複数個のノードのうちの少なくと１個を活性化させるために、コアおよびプロセッサの最少数の組み合わせへの割り当てのために利用可能にされるべきメモリに対応する、
方法。
【請求項２】
前記複数個のメモリ・コントローラの各々は初期に無効状態とされ、かつ前記複数個のメモリ・コントローラのうちの少なくとも１個のメモリ・コントローラは前記メモリ・コントローラが制御する複数個のメモリ・ユニットの少なくとも１個において最少量のメモリがスクラブされるような条件で有効とされる、請求項１に記載の方法。
【請求項３】
各々が前記複数個のノードの少なくとも１個を包含する複数個のパーティションを前記システムが更に含み、
前記複数個のパーティションの各々に他のパーティションとの関係で優先度が割り当てられ、該割り当てられた優先度に基づいて前記複数個のパーティションが成功裡に活性化される、請求項１に記載の方法。
【請求項４】
１つのパーティションのメモリ資源需要に合致するのに十分な量のスクラブされたメモリが割り当てのために利用することが可能であるという条件で、前記パーティションを活性化させるステップを更に含む、請求項３に記載の方法。
【請求項５】
パーティションを活性化させる前に、前記パーティションの前記メモリ資源需要を、スクラブされ、かつ割り当てのために利用することができるようにされたメモリの量と比較するステップを更に含み、
スクラブされて割り当てのために利用することができるようにされた前記メモリの量が前記パーティションの前記メモリ資源需要に合致するのに十分であるという条件の下で、前記スクラブされたメモリが、前記パーティションにより包含される１個もしくは複数個のノード間で割り当てられて、前記パーティションが活性化され、かつ
スクラブされて割り当てのために利用することができるようにされた前記メモリの量が前記パーティションのメモリ資源需要に合致するのに十分でないという条件の下で、前記パーティションの前記メモリ資源需要に合致するのに十分なスクラブされた合計メモリ量が前記パーティションにより包含される１個もしくは複数個のノード間で割り当てられて前記パーティションが活性化されるように、追加量のメモリがスクラブされる、請求項４に記載の方法。
【請求項６】
前記オペレーティング・システムの起動動作の実行と並行し、かつその後で、追加のメモリがスクラブされて、基準に基づき各パーティションにより包含される１個もしくは複数個のノードに割り当てられる、請求項３に記載の方法。
【請求項７】
前記基準が前記パーティションに割り当てられた優先度、およびメモリの追加の割り当てのための前記パーティションの需要のうちの少なくとも一つを含む、請求項６に記載の方法。
【請求項８】
スクラブされた前記追加のメモリが使用済みのメモリを含む、請求項１に記載の方法。
【請求項９】
複数個のメモリ・ユニットと、
１個もしくは複数個のメモリ・ユニットにおいてメモリをスクラブするように構成され、スクラブされたメモリを割り当てのために利用することができるようにされたスクラビング・ユニットと、
オペレーティング・システムと
を含み、
前記スクラビング・ユニットが最少量のスクラブされたメモリを割り当てのために利用可能にし、
前記オペレーティング・システムの起動動作は、前記最少量のメモリがスクラブされかつ割り当てのために利用可能にされた後に実行され、かつ
前記オペレーティング・システムの起動動作の実行と並行しかつその後に、前記スクラビング・ユニットが追加量のメモリをスクラブし、割り当てのために利用可能にし、
さらに、
最少ノード資源構成に関連付けさせられる複数個のノードと、
前記複数個のノードの各々に含まれる複数個のプロセッサと、
前記複数個のプロセッサの各々に含まれる複数個のコアと、
少なくとも１個が前記複数個のコアの各々にインターフェースで結合する複数個のメモリ・コントローラと
を含み、
前記複数個のメモリ・コントローラの各々が前記複数個のメモリ・ユニットのうちの少なくとも１個のメモリ・ユニットを制御し、かつ
前記最少ノード資源構成が、最少量のスクラブされたメモリであって、前記複数個のノードのうちの少なくとも１個を活性化させるために、コアおよびプロセッサの最少数の組み合わせへの割り当てのために利用可能にされるべきメモリに対応する、
システム。
【請求項１０】
前記複数個のメモリ・コントローラの各々は初期に無効状態とされ、かつ前記複数個のメモリ・コントローラのうちの少なくとも１個のメモリ・コントローラは、前記メモリ・コントローラが制御する複数個のメモリ・ユニットのうちの少なくとも１個のメモリ・ユニットにおいて前記スクラビング・ユニットが最少量のメモリをスクラブするような条件で有効とされる、請求項９に記載のシステム。
【請求項１１】
各々が前記複数個のノードのうちの少なくとも１個のノードを包含する複数個のパーティションを更に含み、
前記複数個のパーティションの各々に他のパーティションとの関係で優先度が割り当てられ、該割り当てられた優先度に基づいて前記複数個のパーティションが成功裡に活性化される、請求項９に記載のシステム。
【請求項１２】
十分な量のメモリが前記スクラビング・ユニットによりスクラブされて、１つのパーティションのメモリ資源需要に合致するように割り当てのために利用可能にされるという条件で、前記パーティションが活性化される、請求項１１に記載のシステム。
【請求項１３】
パーティションを活性化させる前に、前記パーティションの前記メモリ資源需要が、スクラブされて割り当てのために利用することができるようにされたメモリの量と比較され、
スクラブされて割り当てのために利用することができるようにされた前記メモリの量が前記パーティションの前記メモリ資源需要に合致するのに十分であるという条件の下で、前記スクラブされたメモリが、前記パーティションにより包含される１個もしくは複数個のノード間で割り当てられて前記パーティションが活性化され、かつ
スクラブされて割り当てのために利用することができるようにされた前記メモリの量が前記パーティションのメモリ資源需要に合致するのに十分でないという条件の下で、前記スクラビング・ユニットは、前記パーティションの前記メモリ資源需要に合致するのに十分なスクラブされた合計メモリ量が前記パーティションにより包含される１個もしくは複数個のノード間で割り当てられて前記パーティションが活性化されるように、追加量のメモリをスクラブする、請求項１２に記載のシステム。
【請求項１４】
前記オペレーティング・システムの起動動作の実行と並行し、かつその後で、前記スクラビング・ユニットが追加量のメモリをスクラブして、基準に基づき各パーティションにより包含される１個もしくは複数個のノードに割り当てる、請求項１１に記載のシステム。
【請求項１５】
前記基準が前記パーティションに割り当てられた優先度、およびメモリの追加の割り当てのための前記パーティションの需要のうちの少なくとも一つを含む、請求項１４に記載のシステム。
【請求項１６】
システムの立ち上げ時間を早めるためのプロセスをコンピュータに実行させるためのコンピュータ・プログラムを格納した非一時的なコンピュータ可読媒体であって、前記プロセスが、
スクラビングして、最少量のメモリを割り当てのために利用することができるようにするステップと、
前記システム上にストアされたオペレーティング・システムの起動動作を実行するステップと、
前記オペレーティング・システムの前記起動動作と並行しかつその後に、スクラビングして、追加量のメモリを割り当てのために利用することができるようにするステップと
を含み、
前記システムが、
複数個のメモリ・ユニットと、
各々が最少ノード資源構成に関連付けられた複数個のノードであって、前記最少ノード資源構成が確立される条件でノードが活性化されるようにする前記複数個のノードと、
前記複数個のノードの各々に含まれる複数個のプロセッサと、
前記複数個のプロセッサの各々に含まれる複数個のコアと、
少なくとも１個が前記複数個のコアの各々にインターフェースで結合する複数個のメモリ・コントローラと、
各々が前記複数個のノードのうちの少なくとも１個のノードを包含する複数個のパーティションと
を含み、
前記複数個のパーティションの各々に他のパーティションとの関係で優先度が割り当てられ、該割り当てられた優先度に基づいて前記複数個のパーティションが成功裡に活性化され、
前記最少ノード資源構成が、最少量のスクラブされたメモリであって、前記複数個のノードのうちの少なくと１個のノードを活性化させるために、コアおよびプロセッサの最少数の組み合わせへの割り当てのために利用可能にされるべきメモリに対応する、
コンピュータ可読媒体。